(57)【特許請求の範囲】
【請求項１】
第１の半筒形ケースと；
第２の半筒形ケースと；
上記第１の半筒形ケースの一方の側面と上記第２の半筒形ケースの一方の側面とを回転自在に係止する第１の係止手段と；
上記第１の半筒形ケースの他方の側面と上記第２の半筒形ケースの他方の側面とを開閉自在に係止する第２の係止手段と；
上記第１の半筒形ケースの一端部と、送風機に接続される換気管の一端部とを固定する換気管固定手段と；
上記第１の半筒形ケースの他端部、上記第２の半筒形ケースの他端部の少なくとも一方に設けられ、上記換気管を係止する換気管ストッパ部と；
を有することを特徴とする換気管収納ケース。
【請求項２】
請求項１において、
上記換気管は、蛇腹構造を有するものであり、上記換気管ストッパ部は、上記換気管の蛇腹のくびれ部の径とほぼ同程度の中空部を有する円板を直径方向に２分割されたものであり、上記各円板の外周縁が、上記第１の半筒形ケースの他端部の内面、上記第２の半筒形ケースの他端部の内面に固定されていることを特徴とする換気管収納ケース。
【請求項３】
請求項１または請求項２において、
上記換気管ストッパ部は、上記第１の半筒形ケースの他端部にのみ設けられていることを特徴とする換気管収納ケース。
【請求項４】
第１の半筒形ケースと、第２の半筒形ケースと、上記第１の半筒形ケースの一方の側面と上記第２の半筒形ケースの一方の側面とを回転自在に係止する第１の係止手段と、上記第１の半筒形ケースの他方の側面と上記第２の半筒形ケースの他方の側面とを開閉自在に係止する第２の係止手段と、上記第１の半筒形ケースの一端部と送風機に接続される換気管の一端部とを固定する板状の換気管固定部とを有する換気管収納ケースと；
上記第１の半筒形ケースの一端部の内面に、円周方向に設けられている第１の凸部と；
上記第２の半筒形ケースの一端部の内面に、円周方向に設けられている第２の凸部と；
突起部を具備する送風機本体と；
を有し、上記第１の凸部と上記換気管固定部とによって形成される第１の溝部に上記送風機の突起部を嵌合させて挟持するとともに、上記第２の凸部と上記換気管固定部とによって形成される第２の溝部に上記送風機本体の突起部を嵌合させて挟持することを特徴とする換気装置。
【請求項５】
請求項４において、
上記突起部が上記送風機本体の両端部に設けられ、上記換気管収納ケースへの上記送風機本体の取り付け方向を変えることによって、排気形換気または吸気形換気に設定可能であることを特徴とする換気装置。
【請求項６】
請求項４または請求項５において、
上記換気管収納ケースが、上記第１の半筒形ケースの他端部、上記第２の半筒形ケースの他端部に、上記換気管を係止する換気管ストッパ部を有することを特徴とする換気装置。
【請求項７】
請求項６において、
上記換気管は、蛇腹構造を有するものであり、上記換気管ストッパ部は、上記換気管の蛇腹のくびれ部の径とほぼ同程度の中空部を有する円板を直径方向に２分割されたものであり、上記各円板の外周縁が、上記第１の半筒形ケースの他端部の内面、上記第２の半筒形ケースの他端部の内面に固定されていることを特徴とする換気装置。
【請求項８】
請求項６または請求項７において、
上記換気管ストッパ部は、上記第１の半筒形ケースの他端部にのみ設けられていることを特徴とする換気装置。
【発明の詳細な説明】
【０００１】
【産業上の利用分野】
本発明は、電気通信用マンホールや下水溝などの地下作業場に滞留している酸欠空気や硫化水素等の有害ガスを換気する換気装置およびその換気管収納ケースに関するものである。
【０００２】
【従来の技術】
マンホールの換気に使用する送風機としては、現在では、送風、吸気兼用機と送風専用機とが知られている。送風、吸気兼用機２は、図６に示してあり、送風機本体３００ａと送風管２００ａと送風管固定治具３０１ａとで構成され、送風専用機３は、図７に示してあり、円筒形や箱形の形状を有し、送風管２００ｂの収納部１００ｂを送風機本体３００ｂと一体化したものであり、送風管飛び出し防止ベルト１０１ｂが設けられている。
【０００３】
ところで、上記従来の送風専用機３は、送風管収納部１００ｂが設けられているので、保管時等に送風管２００ａの変形や損傷がなく、送風管２００ａの整理、収納が容易で、その運搬や保管に便利であるという利点があるが、送風専用であるので、通行車両、送風機用携帯発電機から出る排気ガスの悪臭や、地面の埃等が混入した空気をマンホール内に送り込むことになり、送風のみによって換気しても快適な作業環境を作り出すことができない。
【０００４】
一方、上記従来の送風、吸気兼用機２は、送風管２００ｂの接続替えが可能であるので、送風したり吸気したりというように、換気方法の使い分けができる利点があるが、送風管２００ｂの固定治具を外す場合に工具が必要であり、送風から吸気、またはその逆方向に、送風機本体３００ｂを接続替えするための時間が長く必要であり、また、送風管２００ｂが長尺であるので、収納袋への収納や取り出しが不便であり、さらに、送風管を露出した状態で運搬することが多いので、装置全体の変形や損傷が激しい。
【０００５】
【発明が解決しようとする課題】
さらに、マンホールの深さに応じて、送風管の繰り出し長さが調節されるが、マンホール周辺が通行の支障とならないような広い場所であれば、マンホール口から送風機本体を前後にずらすだけで調節できるので、調節機構を設ける必要がない。
【０００６】
しかし、実際には、車両や歩行者の通行の支障にならないようにするために、作業場所としては狭い範囲しか確保できないマンホールが多く、したがって、送風機の位置を前後にずらすことができない。この場合に、送風管の繰り出し長さを調節するには、送風管の先端や中間に取付けてある吊り金具と送風機本体の取手や突起物等とを紐で結び、送風管の繰り出し長さを調節しているのが現状である。
【０００７】
すなわち、従来の送風専用機３を使用した場合、吸気できないという問題があり、排気ガスや埃をそのままマンホールに送り込み不快な作業環境を作るという問題があり、従来の送風、吸気兼用機２を使用した場合、送風専用機３における問題を解決できるものの、送風管の接続替え作業に長時間かかるという問題がある。
【０００８】
また、従来の送風専用機３、送風、吸気兼用機２に共通して、送風管繰り出し長さを調節する操作が面倒であり、送風管等の長尺物の整理が困難であり、送風機の持ち運びや保管が不便であるという問題がある。
【０００９】
本発明の第１の目的は、換気管の整理が容易であり、持ち運びや保管に便利である換気管収納ケースおよび換気装置を提供することである。
【００１０】
本発明の第２の目的は、送風管繰り出し長さを調節する操作が容易である換気管収納ケースおよび換気装置を提供することである。
【００１１】
本発明の第３の目的は、送風、吸気ともに可能であり、しかも、送風、吸気の間で、送風管の接続替え時間を短くすることができる換気装置を提供することである。
【００１２】
【課題を解決するための手段】
本発明は、第１の半筒形ケースの一方の側面と第２の半筒形ケースの一方の側面とを第１の係止手段で回転自在に係止し、第１の半筒形ケースの他方の側面と第２の半筒形ケースの他方の側面とを第２の係止手段によって開閉自在に係止し、第１の半筒形ケースの一端部と送風機に接続される換気管の一端部とを換気管固定手段によって固定し、第１の半筒形ケースの他端部、第２の半筒形ケースの他端部のうちの少なく一方に、換気管を係止する換気管ストッパ部を設けたものである。
【００１３】
【作用】
本発明は、第１の半筒形ケースの一方の側面と第２の半筒形ケースの一方の側面とを第１の係止手段で回転自在に係止し、第１の半筒形ケースの他方の側面と第２の半筒形ケースの他方の側面とを第２の係止手段によって開閉自在に係止し、第１の半筒形ケースの一端部と送風機に接続される換気管の一端部とを換気管固定手段によって固定し、第１の半筒形ケースの他端部、第２の半筒形ケースの他端部のうちの少なく一方に、換気管を係止する換気管ストッパ部を設けたので、換気管の整理が容易であり、持ち運びや保管に便利である。
【００１４】
【実施例】
図１は、本発明の一実施例である換気装置１の使用状態を示す図である。
【００１５】
換気装置１は、蛇腹状の換気管２００と、この換気管２００を収納する換気管収納ケース１００と、送風機本体３００と、携帯用発電機４００とを有する。
【００１６】
図２は、上記実施例の換気管収納ケース１００の説明図であり、図２（１）は、換気管収納ケース１００と換気管２００との関係を示す斜視図であり、図２（２）は、換気管収納ケース１００を閉じ、換気管２００を省略した状態を示す縦断面図であり、図２（１）のＡ−Ａ’線の位置から見た縦断面図である。
【００１７】
換気管収納ケース１００は、下側の半円筒形ケース１０と、上側の半円筒形ケース２０と、下側の半円筒形ケース１０の一方の側面１１と上側の半円筒形ケース２０の一方の側面２１とを回転自在に係止する蝶番３０と、下側の半円筒形ケース１０の他方の側面１２と上側の半円筒形ケース２０の他方の側面２２とを開閉自在に係止する開閉錠４０と、下側の半円筒形ケース１０の一端部１３−１と換気管２００の一端部２０１とを固定する換気管固定部５０とが設けられ、この換気管固定部５０は、ほぼリング状であり、下側の半円筒形ケース１０の一端部１３−１に、ねじまたは溶接によって固定されている。
【００１８】
また、下側の半円筒形ケース１０の他端部１３−２に、換気管２００を係止する換気管ストッパ部７１が設けられ、上側の半円筒形ケース２０の他端部１４−２に、換気管２００を係止する換気管ストッパ部７２が設けられている。
【００１９】
図３は、上記実施例における換気管収納ケース１００と送風機本体３００との関係を示す縦断面図である。
【００２０】
下側の半円筒形ケース１０の一端部１３−１の内面に、円周方向にパッキンＰ１が設けられ、上側の半円筒形ケース２０の一端部１４−１の内面に、円周方向にパッキンＰ２が設けられ、換気管固定部５０にドーナツ板状のパッキンＰ３が設けられ、送風機３００の突起部３０２が、パッキンＰ１とパッキンＰ３とによって挟持され、また、ケース１０と２０とを閉じたときにパッキンＰ２とパッキンＰ３とによって挟持される。つまり、パッキンＰ１とパッキンＰ３とによって、円周方向の溝部６１が形成され、ケース１０と２０とを閉じたときにパッキンＰ２とパッキンＰ３とによって、円周方向の溝部６２が形成され、送風機３００の突起部３０２がこれらの溝部６１、６２と嵌合するようになっている。なお、溝部６１、６２が着脱部６０を構成している。
【００２１】
また、送風機３００には、突起部３０２と同様の突起部３０３が、突起部３０２と反対側に設けられている。したがって、換気管収納ケース１００への送風機３００の取り付け方向を変えることによって、換気装置１が、排気形換気に設定でき、また、吸気形換気にも設定できる。
【００２２】
図４は、上記実施例における換気管ストッパ部７１、７２の説明図である。
【００２３】
換気管２００は、蛇腹構造を有するものであり、ストッパ部７１、７２は、それぞれ、換気管２００の蛇腹のくびれ部の径とほぼ同程度の中空部を有する円板を直径方向に２分割されたものであり、その１つ目の円板の外周縁が、下側の半円筒形ケース１０の他端部１３−２の内面に固定され、また、その２つ目の円板の外周縁が、上側の半円筒形ケース２０の他端部１４−２の内面に固定されている。さらに、ストッパ部７１、７２の端部にはテーパーが設けられ、その角度はたとえば約３０度である。
【００２４】
次に、上記実施例を使用する場合の動作について説明する。
【００２５】
まず、収納ケース１００に換気管２００を装着するには、開閉錠４０を外し、上側の半円筒形のケース２０を開き、下側の半円筒形のケース１０の一端部１３−１に固定されている換気管固定部５０の図３中、右端に換気管２００の一端部２０１を嵌め、固定バンド２０２でその一端部２０１を固定すればよい。
【００２６】
その後、収納ケース１００に送風機本体３００を装着するには、上側の半円筒形のケース２０を開いている状態で、下側の半円筒形のケース１０の一端部１３−１に設けられている溝部６１に送風機本体３００の突起部３０２を嵌合し、上側の半円筒形のケース２０を閉じ、このときに、上側の半円筒形のケース２０の一端部１４−１の溝部６２と送風機本体３００の突起部３０２とを嵌合しながら、上側の半円筒形のケース２０を閉じ、開閉錠４０をロックする。これによって、図３に示すように、送風機本体３００が収納ケース１００に固定され、さらに送風機本体３００は、換気管固定部５０に固定された換気管２００と接続される。
【００２７】
この場合、収納ケース１００の一端部１３−１、１４−１の内面に設けられているゴム、スポンジ等のパッキンＰ１、Ｐ２、Ｐ３によって、送風機本体３００の突起部３０２が挟み込まれているので、この部分の密着性がより増すとともに、防振ゴム付脚部１５が取付けられ、換気時の振動によるガタツキが防止される。このように、開閉錠４０と溝部６１、６２とによって、収納ケース１００が送風機本体３００と自在に着脱することができる。
【００２８】
なお、収納ケース１００に換気管２００が装着された後に、上側の半円筒形ケース２０を閉じる前に、換気管２００の繰出量を所望の長さに設定し、繰出量よりも長い部分を収納ケース１００内に収納しておく。この状態で、上側の半円筒形ケース２０を閉じると、ストッパ部７１、７２が、換気管２００の括れ部を挟むので、換気管２００の繰り出し量が固定される。つまり、図４に示すように、換気管２００は、長手方向に引っ張られても、換気管リング２００Ｒが上下のストッパ部７１、７２に当り、それ以上繰り出されないようになり、換気管２００の繰り出し長さが固定される。
【００２９】
上記のように、送風機本体３００と換気管２００とが収納ケース１００に装着され、収納ケース１００から繰り出された換気管２００がマンホール口Ｍからその中に挿入されている状態で、携帯用発電機４００から電源コードＣを通じて供給された電気によって、送風機本体３００を動作させ、マンホール内に挿入した換気管２００を通して新鮮な空気を送り込んだり、汚染された空気を吸込み、屋外に排出し、換気する。
【００３０】
そして、換気装置を使用した後には、上側の半円筒形ケース２０を開き、換気管２００を畳み込みながら、換気管２００の全部を収納ケース１００に収納し、上側の半円筒形ケース２０を閉じ、開閉錠４０を閉じる。このように、上側の半筒形ケース２０を閉じると、換気管２００が長手方向に伸びようとする力が働くが、一旦収納された換気管２００はリング２００Ｒがストッパ部７１、７２に引っかかり、つまり、ストッパ部７１、７２によって換気管２００の外への突出が阻止され、飛び出し防止ベルト等を使用することなしに、収納時における換気管２００の飛び出しを阻止できる。したがって、収納完了後に上側の半円筒形ケース２０を閉じれば、換気管２００は収納ケース１００先端から外に飛び出さず、持ち運びも便利になる。
【００３１】
なお、換気装置の使用時に、換気管２００を挟み込んだときに、上下ストッパ部７１と７２との接触部分において、換気管２００の布を傷付けないように、約３０度に切り欠いた切欠７３が上ストッパ７２に設けられている。
【００３２】
図５は、上記実施例において、エアフィルタの着脱に必要なフィルタカバーと電源コード収納部の構造を示す分解斜視図である。
【００３３】
エアフィルタ３０５は、送風によって換気するときに、送風機本体３００の空気吸込み口に設けるものであり、フィルタカバー３０６に嵌め込み、空気吸込み口に装着するものである。これによって、エアフィルタ３０５は、フィルタカバー３０６とファンガイド３０４との間に挟み込まれる。ここで用いるフィルタカバー３０６は空気を吸い込みやすいように網目状になっており、その周囲枠を３等分した位置に空気吸込み口の突起部と嵌合する弾力性のある波板状の爪３０７が設けられ、自在に着脱できる構造を有する。また、使用するエアフィルタ３０５は臭いや埃の吸収能力、乾式、湿式等多く種類があり、用途や使用条件によって適宜選定される。
【００３４】
電源コード収納部３０８は、送風機本体３００の下部に設けられた箱状のものであり、電気掃除機の電源コードや自動車の安全ベルトの自動巻取り機構と同等の機構が組込まれ、電源コードＣの整理、収納が容易になる。また電源コードＣを収納するときに、それに付着した泥、砂等の収納部内への侵入を防止するために、引出し口にゴムまたはプラスチック製のパッキン３０９が取り付けられている。
【００３５】
次に、電気通信用マンホールを例とって、上記実施例を使用した場合における作業工程について説明する。
【００３６】
電気通信用マンホールで通信ケーブルの敷設や保守作業を行う場合、酸素欠乏や有害ガスによる人身事故を防止するために、マンホールに入る前に、換気装置１の送風機本体３００を用いて、送風または吸気して換気を行い、有害ガス検知器によって測定した酸素濃度が１８％以上を示したことを確認し、作業を開始する。また、隣のマンホールからケーブル収容管を伝わって酸欠空気や有害ガスが流入する恐れがある場合、敷設や保守作業中でも続けて換気を行う。
【００３７】
上記実施例は、円筒の長手方向と直交する方向に、上下に開閉するように分割し、換気管２００の一端２０１を固定し、収納できるようにしたものであり、これによって、換気管２００を取り外すことなく、収納ケース１００と、送風機本体３００の空気吐出し口または空気吸込み口との着脱操作が簡単になり、送風、吸気のいずれかで換気でき、換気管２００の出し入れや繰り出し長さの調節等換気管２００の取扱が容易である。
【００３８】
なお、上記実施例を、図７に示した従来の送風専用機３に応用することができる。
【００３９】
また、収納ケース１００と送風機本体３００との着脱方法については、上記の溝部６１、６２と突起部３０２または３０３との組み合わせの他に、結合ピンを用いて固定するようにしてもよい。また、エアフィルタ３０５の送風機本体への取り付けは、フィルタカバー３０６に設けた爪３０７を送風機本体の突起部３０３に係止するようにしてもよい。収納ケース１００やフィルタカバー３０６としては、軽量で耐久性、耐衝撃性に優れたプラスチック、軽合金等の材質のものを使用することができる。
【００４０】
さらに、下側の半円筒形ケース１０、上の側の半円筒形ケース２０の代りに、角筒形等のように、半円筒形ケース以外の半筒形ケースを使用するようにしてもよい。なお、下側の半円筒形ケース１０、上の側の半円筒形ケース２０は、ぞれぞれ、第１の半筒形ケース、第２の半筒形ケースの例である。また、蝶番３０は、第１の半筒形ケースの一方の側面と第２の半筒形ケースの一方の側面とを回転自在に係止する第１の係止手段の例であり、開閉錠４０は、第１の半筒形ケースの他方の側面と第２の半筒形ケースの他方の側面とを開閉自在に係止する第２の係止手段の例である。換気管固定部５０は、第１の半筒形ケースの一端部と、送風機に接続される換気管の一端部とを固定する換気管固定手段の例であり、ストッパ部７１、７２は、第１の半円形ケースの他端部、第２の半筒形ケースの他端部の少なくとも一方に設けられ、換気管を係止する換気管ストッパ部の例である。
【００４１】
また、上記実施例においては、第１の半筒形ケース１０の他端部１３−２と、第２の半筒形ケース２０の他端部１４−２とにそれぞれ、換気管ストッパ部７１、７２が設けられているが、換気管ストッパ部７１、７２のうちの少なくとも一方を設ければ、換気管２００の繰り出し量の固定、収納が充分に行われる。この場合、第２の半筒形ケース２０の他端部１４−２にのみ換気管ストッパ部を設ければ、つまり、換気管ストッパ部７２のみを設ければ、上側の半円筒形ケース２０を開けたときに、換気管２００の取り出し、換気管２００の収納が容易である。
【００４２】
なお、上記実施例において、エアフィルタ３０５等を着脱自在とすることによって、送風機本体３００の一方の側にエアフィルタ３０５を取り付けられることができ、また、たとえば、大型のマンホールや異臭がひどい場合に、２台の換気装置を設置し、一方を排気形、他方を吸気形として運転すれば、効率的で早急な換気が可能である。
【００４３】
【発明の効果】
本発明によれば、換気管繰り出し長さを調節する操作および換気管の整理が容易であり、持ち運びや保管に便利であるという効果を奏する。
【００４４】
さらに、請求項５〜８に記載の発明によれば、上記効果に加えて送風、吸気ともに可能であり、しかも、送風、吸気の間で、送風管の接続替え時間を短くすることができるという効果を奏する。
【図面の簡単な説明】
【図１】本発明の一実施例である換気装置１の使用状態を示す図である。
【図２】上記実施例の換気管収納ケース１００の説明図である。
【図３】上記実施例における換気管収納ケース１００と送風機本体３００との関係を示す縦断面図である。
【図４】上記実施例における換気管ストッパ部７１、７２の説明図である。
【図５】上記実施例において、エアフィルタの着脱に必要なフィルタカバーと電源コード収納部の構造を示す分解斜視図である。
【図６】従来の送風、吸気兼用機２を示す図である。
【図７】従来の送風専用機３を示す図である。
【符号の説明】
１…換気装置、
１００…換気管収納ケース、
１０…下側の半円筒形ケース、
２０…上側の半円筒形ケース、
１１、２１…一方の側面、
１２、２２…他方の側面、
１３−１、１４−１…一端部、
１３−２、１４−２…他端部、
３０…第１の係止手段としての蝶番、
４０…第２の係止手段としての開閉錠、
５０…換気管固定部、
６１、６２…溝部、
７１、７２…換気管ストッパ部、
７３…切欠部、
２００…換気管、
２００Ｒ…換気管リング、
３００…送風機本体、
３０２、３０３…突起部、
Ｐ１…第１の凸部としてのパッキン、
Ｐ２…第２の凸部としてのパッキン、
Ｐ３…パッキン、
Ｃ…電源コード。
【図１】
0003571413.tif 000002
【図２】
0003571413.tif 000003
【図３】
0003571413.tif 000004
【図４】
0003571413.tif 000005
【図５】
0003571413.tif 000006
【図６】
0003571413.tif 000007
【図７】
0003571413.tif 000008